(57)【特許請求の範囲】
【請求項１】
第１〜第６の６画素のうち第１〜第３画素は相異なる３つの色特性（相対分光感度特性）を有し、第４画素は上記第１画素と、第５画素は上記第２画素と、第６画素は上記第３画素と、それぞれ感度（絶対感度）が異なる同一の色特性を有する６画素からなる単位配列を２次元の周期配列として構成された撮像素子と、
上記撮像素子の上記第１〜第６の各画素に対応して得られる第１〜第６の各画素情報信号に基づいて所定の態様の映像信号を生成する映像信号生成手段とを有してなり、
上記撮像素子の上記第１と第４、第２と第５、第３と第６の各画素の相異なる感度は、上記第１、第２、第３の各画素情報信号の有効輝度域と上記第４、第５、第６の各画素情報信号の有効輝度域とが共通領域を有するように設定されたものであり、
上記映像信号生成手段は、上記各画素情報信号の処理に際して有効輝度域からの逸脱が生じており、且つ隣接する異感度同一色の画素情報信号が逸脱を生じていない場合には、上記隣接する異感度同一色の画素情報信号によって補完し、上記各画素情報信号の処理に際して有効輝度域からの逸脱が生じていても、隣接する異感度同一色の画素情報信号が逸脱を生じている場合には、当該補完を行なわないように構成された画素情報補完手段を有したものであることを特徴とする撮像装置。
【請求項２】
上記相異なる３つの色特性は、加色混合の３原色ＲＧＢであることを特徴とする請求項１に記載の撮像装置。
【請求項３】
上記映像信号生成手段は、上記第１、第２、第３の各画素情報信号と第４、第５、第６の各画素情報信号の同一輝度被写体に対する信号レベル差を補償するレベル補償手段を有したものであることを特徴とする請求項１に記載の撮像装置。
【発明の詳細な説明】
【０００１】
【発明の属する技術分野】
本発明は、カラー撮像素子を含む撮像装置に関する。
【０００２】
【従来の技術】
撮像管および固体撮像素子に代表される撮像素子は撮像装置に広く用いられている。特に単管または単板（Single Sensor）カラー撮像装置に使用されるカラー撮像素子は１つの撮像素子で撮像装置が構成できるため、色分離プリズムが不要でレンズの小型化が可能・レジストレーションに代表される多板式の各種調整が無い・消費電力が小さいなど多くの特徴を有し、撮像装置の小型化・省電力化に多くの貢献を果たしており、特に固体素子であるカラーＣＣＤ撮像素子を用いた単板カラーカメラは撮像装置の主流となっている。
【０００３】
上記カラー撮像素子はいずれも一つの受光面で色情報を得るため、ストライプフィルタまたはモザイクフィルタなどと称される色フィルタを用いて受光平面内で色変調（色コーディング）を行なっている。すなわち、例えばＲＧＢ３色のフィルタを所定の規則的配列で各光電変換素子上に張り付けることで各画素毎に異なる分光感度を持たせる。従って、被写体撮像によって得られた映像信号には、このフィルタ配列に従った点順次の色情報が含まれているから、上記所定の配列にしたがって各色フィルタに対応した信号毎に分離してこれを取り出せば色情報が取り出せる。輝度信号（Ｙ信号）を得るためにはＲＧＢ情報が全て必要であるから、１画素の輝度情報を得るためには最低３画素（ＲＧＢ各１画素ずつ）を必要とし、輝度解像度は犠牲になるものの一つの撮像素子でカラー撮像を行なうことができる。
【０００４】
このような公知の配列の１つにＲＧＢベイヤ配列がある。ベイヤ配列の名で知られるものは幾つかあるが、代表的な１つを図６に示す。これは２×２の４画素を２次元の基本配列としてこれを順次ならべて平面を埋め尽くすものであって、２×２の４画素を単位配列とした２次元の周期配列となっている。
【０００５】
これに対してＲＧＢストライプ配列は文字どおりストライプ状に（各垂直列ごとに順次の）３色のフィルタを配したもので、３×１の３画素を単位配列とした２次元の周期配列である。一例を図７に示す。
【０００６】
これらＲＧＢベイヤ配列やＲＧＢストライプ配列はいずれも色再現性の良い原色（ＲＧＢ）フィルタを用いており、ベイヤ配列はＲＧＢへの画素数の配分比率を１：２：１として輝度信号に対する寄与の大きいＧの密度を高めることで輝度解像度を高くした点に特徴がある。また垂直水平の２方向に等方配置しているのでストライプ配列と異なり等方的な解像度が得られる。
【０００７】
一方ストライプ配列は垂直方向には色コーディングが行われていないので垂直解像度が極めて高く（モノクロと同等）、またＲＧＢが等密度なので色Ｓ／Ｎが良くベイヤ配列より色再現が良いという特徴がある。
【０００８】
【発明が解決しようとする課題】
上記ベイヤ配列やストライプ配列はそれぞれ上記したとおりの優れたものであるが、撮像素子一般の課題としての被写体に対する撮像ダイナミックレンジ（輝度再現域）の確保については特別な考慮が為されておらず、輝度分布が高輝度から低輝度まで輝度レンジの大きな被写体の撮影に際しては白飛びや黒潰れを生じ易いものであった。
【０００９】
詳述すれば撮像レンジは単純に撮像素子だけでは決まらず、それを使用した撮像装置の信号処理も含めた全体で決まるが、少なくとも高輝度側は撮像素子の飽和レベルが限界になり、低輝度側は撮像装置に組み込まれた状態での撮像素子出力のノイズレベルが限界になるから、少なくともそれを超えた撮像レンジを得ることはできない。
【００１０】
従来、一般的な撮像素子を用いた撮像装置を構成した場合の撮像素子の光電変換特性は、例えば図８で模式的に示されるようなものであった。この図において、横軸は入射光量を、縦軸は信号レベルをそれぞれ対数的に示すものである。図中ＵＬは高輝度側限界レベルを、ＬＬは低輝度側限界レベルをそれぞれ示すものである。ＵＬは撮像素子の飽和レベルにほぼ対応するレベルであり、一方ＬＬについてはノイズレベルＮＬそのものではなく、ノイズと共存しても鑑賞に堪える所定の限界Ｓ／Ｎ比を有する信号レベルとして定まる。そしてＵＬとＬＬの間が有効輝度域となり、これらの（対数軸上での）差：Range＝ＵＬ−ＬＬが撮像レンジとなる。
【００１１】
この撮像レンジは撮像装置の設計製造によって異なるが、多くの場合５〜６ＥＶ（３０〜３６dB）程度であり、更なる改善が望まれていた。しかしながら、撮像素子の飽和レベルやノイズレベルの改善には限界があり、実現が困難であるという問題があった。
【００１２】
本発明の目的の一つは、上記問題点を解決し、従来と同等の撮像素子を用いつつ、且つ従来のストライプ配列の持つ特長を基本的に有したまま撮像レンジを飛躍的に向上した高画質な撮像装置と、それに適した撮像素子を提供することにある。
【００１３】
さらに本発明の他の目的は、上記課題の具体的な解決手段として発明した新規な撮像方式である多画素単位配列撮像方式の広範な応用可能性に着目して、多画素単位配列撮像方式による撮像装置と、それに適した撮像素子を提供することにある。
【００１４】
【課題を解決するための手段】
本発明は、第１〜第６の６画素のうち第１〜第３画素は相異なる３つの色特性（相対分光感度特性）を有し、第４画素は上記第１画素と、第５画素は上記第２画素と、第６画素は上記第３画素と、それぞれ感度（絶対感度）が異なる同一の色特性を有する６画素からなる単位配列を２次元の周期配列として構成された撮像素子と、上記撮像素子の上記第１〜第６の各画素に対応して得られる第１〜第６の各画素情報信号に基づいて所定の態様の映像信号を生成する映像信号生成手段とを有してなり、上記撮像素子の上記第１と第４、第２と第５、第３と第６の各画素の相異なる感度は、上記第１、第２、第３の各画素情報信号の有効輝度域と上記第４、第５、第６の各画素情報信号の有効輝度域とが共通領域を有するように設定されたものであり、上記映像信号生成手段は、上記各画素情報信号の処理に際して有効輝度域からの逸脱が生じており、且つ隣接する異感度同一色の画素情報信号が逸脱を生じていない場合には、上記隣接する異感度同一色の画素情報信号によって補完し、上記各画素情報信号の処理に際して有効輝度域からの逸脱が生じていても、隣接する異感度同一色の画素情報信号が逸脱を生じている場合には、当該補完を行なわないように構成された画素情報補完手段を有したものであることを特徴とする。
【００２１】
【発明の実施の形態】
図１は、本発明の実施の形態に係る撮像装置１の全体の概略ブロック図、図２は本発明の実施の形態に係る撮像素子のフィルタ配列を示す図、図３は撮像素子のＬＸ（ただしＸは、Ｒ，Ｇ，Ｂのいずれかを表わすものとする。以下同じ。），ＤＸ画素の特性曲線、図４は撮像装置のＸ信号に関する総合特性曲線である。
【００２２】
図１に示すように、撮像装置１は被写体像を結像するための撮影レンズ系１０１、撮影レンズの焦点を被写体に合わせるための撮影レンズ駆動機構１０２、適正レベルの撮像信号を得るための露出制御機構１０３、色分離を行なうためのフィルタ系１０４、被写体光を電気信号に変換し撮像信号を生成するための撮像素子としてのＣＣＤ１０５、上記ＣＣＤ１０５を駆動するためのＣＣＤドライバ１０６、Ａ／Ｄ変換等を行なうプリプロセス１０７、映像信号処理などの全てのディジタルプロセスを実行するディジタルプロセス１０８、カードインターフェース１０９、ディジタルプロセス１０８で処理されたディジタル信号を該カードインターフェース１０９を介して記録するためのメモリカード１１０、撮影された画像や種々の情報を表示するためのＬＣＤ画像表示系１１１、全体システムのコントロールを行なうシステムコントローラ（主構成としてマイコン含む）１１２、撮影開始や各種モード設定などを行なうための操作スイッチ系１１３、該操作スイッチ系１１３により操作された操作内容を表示するための操作表示系１１４、被写体に補助光を照射するためのストロボ１１５、上記撮影レンズ駆動機構１０２を駆動するためのレンズドライバ１１６、上記露出制御機構１０３およびストロボ１１５の露出を制御するための露出制御ドライバ１１７とを備えている。
【００２３】
図２は、上記ＣＣＤ１０５の色フィルタ配列を示したものである。ＬＲはLight Red、ＤＲはDark Redを、ＬＧはLight Green、ＤＧはDark Greenを、ＬＢはLight Blue、ＤＢはDark Blueをそれぞれ表わし、それぞれ上記従来のベイヤ配列の撮像素子のＲ、Ｇ、Ｂ各フィルタと同じ色（相対分光透過率）のフィルタであるが、ＬＸはＸフィルタの２倍の透過率、ＤＸはＸフィルタの１／２の透過率を有している。
【００２４】
さてこのようなＣＣＤ１０５を用いた撮像装置１は、従来の撮像装置と同様に信号を読み出し処理して撮像画像をメモリカード１１０に記録、あるいはＬＣＤ画像表示系１１１に表示する。従来と異なるのは映像信号生成処理であるが、以下で述べる本発明に直接関連する部分以外については従来公知のＲＧＢストライプ配列ＣＣＤに対するものと全く同様に行われるものとする。この映像信号生成処理は、上記システムコントローラ１１２の制御下にディジタルプロセス１０８によって行われる。
【００２５】
上記撮像素子から読み出される画素情報信号の光電変換特性はＲ、Ｇ、Ｂの各色間の感度の違いをさておけば、Ｒ，Ｇ，Ｂのいずれかである着目する色Ｘ（ＬＸ，ＤＸ）については図３に示すようなものとなっている。すなわち、従来のＸの特性をフィルタ透過率の違いに相当する分だけ左右に平行移動させたものになっている。（図の基準感度線は従来のＸの有効輝度域の光電変換特性に対応する補助線である。）
【００２６】
ところで、従来の映像信号処理における色信号生成処理（通例色分離処理と称される）とは、基本的には対応色信号の存在しない画素（例えばＢ信号生成処理におけるＲフィルタ画素など）に対する近隣画素情報等を用いた信号補完処理である。すなわち、撮像素子から画素配列順に出力されるところの画素情報に直接対応した間欠的色信号から連続的な色信号を生成するから信号同時化とも称される。本発明の実施の形態のようにディジタルプロセスを用いる場合は、一旦画素配列のまま所定のメモリ領域に画素情報信号を格納し、これを用いて適当な補完処理を施しつつＲＧＢの３同時化信号を発生させれば良い。（必要に応じて、ＲＧＢ３つの画像としてメモリ内の所定領域に個別格納してからそれぞれ出力しても良い。）すなわち、各Ｘ信号は単に一種類のＸ画素情報から生成されていた。
【００２７】
これに対して本発明の実施の形態の撮像装置１の色信号の生成処理は従来のものとは異なり、後述のように各色Ｘに対応するＸ信号はＬＸ画素情報とＤＸ画素情報との２種の画素情報から生成される。この点を別にすれば、上記したような他の色に関する信号補完の考え方自体は従来の処理と異なるところは無い。具体的な各Ｘ信号の生成処理は以下のように行なわれる。ただしＹ画素とはＬＸ，ＤＸ以外の４種の画素（例えばＸ＝Ｇの時、ＬＲ、ＤＲ、ＬＢ、ＤＢのいずれか）を示す。
【００２８】
（１）ＬＸ画素の位置に対応するＧ信号の生成処理
▲１▼  自己の画素情報信号がＵＬ（ＬＸ）より小さい値のときは自己の画素情報信号の値の１／２の値をＸ信号値とする。
▲２▼  自己の画素情報信号がＵＬ（ＬＸ）以上のときは自己の上下に隣接する２つのＤＸ画素の画素情報信号の値を判定した結果によって、
（▲２▼−Ａ）それがＬＬ（ＤＸ）より大きくＵＬ（ＤＸ）より小さいときはそのＤＸ画素の値（複数ある場合はその代表値）の２倍の値をＸ信号値とする。
（▲２▼−Ｂ）それがＬＬ（ＤＸ）以下またはＵＬ（ＤＸ）以上のときは自己の画素情報信号の値の１／２の値をＸ信号値とする。
【００２９】
（２）ＤＸ画素の位置に対応するＧ信号の生成処理
▲１▼  自己の画素情報信号がＬＬ（ＤＸ）より大きい値のときは自己の画素情報信号の値の２倍の値をＸ信号値とする。
▲２▼  自己の画素情報信号がＬＬ（ＤＸ）以下のときは自己の上下に隣接する２つのＬＸ画素の画素情報信号の値を判定した結果によって、
（▲２▼−Ａ）それがＬＬ（ＬＸ）より大きくＵＬ（ＬＸ）より小さいときはそのＬＸ画素の値（複数ある場合はその代表値）の１／２の値をＸ信号値とする。
（▲２▼−Ｂ）それがＬＬ（ＬＸ）以下またはＵＬ（ＬＸ）以上のときは自己の画素情報信号の値の２倍の値をＸ信号値とする。
【００３０】
（３）Ｙ画素の位置に対応するＧ信号の生成処理
自己の右または左に辺隣接するＸ画素（ＬＸ画素またはＤＸ画素：これは１つだけ存在する）の出力するＸ信号値を自己のＸ信号値とする。
なお、上記複数の値から「代表値」を得るに関しては、選択法（例えば、高い解像度を得るために必ず上を選択する。）あるいは補間法（例えば、疑似信号の発生レベルが小さくするために平均値を算出する。）のいずれを用いても良い。
【００３１】
上記のような色分離処理の結果得られた色信号は、全画素に関する同時化されたＲＧＢ３原色信号として従来のＲＧＢ３原色信号と同様に後段の回路で処理され、最終的にメモリカード１１０に記録、あるいはＬＣＤ画像表示系１１１に表示される。
【００３２】
上記Ｘ信号生成処理において、上記項目（１）▲１▼又は項目（２）▲１▼とは要するにＬＸ、ＤＸそれぞれの画素について「所定の撮像レンジ（有効輝度域）に収まっている場合はその画素の情報をそのまま使用する」ということであり、その際各画素が従来技術におけるＸ相当の「基準となる感度に対して有している感度差を所定の係数を乗じて（すなわちディジタルゲイン調節を行なって）補償」しているものである。従って、ＬＸ、ＤＸ共通のレンジ内の被写体に関しては従来公知のＲＧＢストライプ配列によって撮像したものと全く同一のＸ（ＲＧＢ）信号が得られる。
【００３３】
これに対して上記項目（１）▲２▼（▲２▼−Ａ）又は項目（２）▲２▼（▲２▼−Ａ）は「自己の画素情報信号がレンジを逸脱している場合、隣接の他方のＸが逸脱していない場合はそれで補完する」ことを意味している。すなわちどちらか一方の画素のレンジでのみカバーされる高輝度や低輝度の被写体部分」に関しては、垂直画素密度が半分になった状態でのＸ信号が得られることになるが、あくまでも部分的に生じる現象であり、且つ水平方向の画素密度に比較して特に低くなることはないこともありさほど大きな問題にはならない。
【００３４】
この場合従来のＸを基準にとるとＬＸは２倍、ＤＸは１／２の感度であるから、それぞれ低輝度側、高輝度側に１ＥＶ（６dB）ずつ撮像レンジがシフトしたことになり、合わせて２ＥＶ（１２dB）撮像レンジが拡大したことになる。従来の撮像素子を用いた場合に、ダイナミックレンジの限界が６ＥＶ（３６dB）であったとすれば、本発明の実施の形態によって８ＥＶ（４８dB）の広ダイナミックレンジの撮像装置を得ることができることになる。なお、この場合上記共通レンジ（高解像度の得られるレンジ）は４ＥＶあるから、通常の撮影において解像度の低下は無く、ただハイライト部分やシャドウ部分で低下するのみである。
【００３５】
このような総合特性を図示したのが図４である。上記ディジタルゲイン調節によって２つの特性が上下に平行移動して一つに重なっている。ＥＵＬ，ＥＬＬ等はそれぞれ拡大された高輝度、低輝度の限界レベルである。
【００３６】
上記のようにＲＧＢ各信号のダイナミックレンジが拡大するから被写体撮像に関して直接的に効果を発揮し、輝度再現域、色再現域が飛躍的に拡大するとともに低輝度部でのＳ／Ｎ向上の結果視覚的な色忠実度も向上する。
【００３７】
一方、上記上記項目（１）▲２▼（▲２▼−Ｂ）又は項目（２）▲２▼（▲２▼−Ｂ）は「ＬＧ、ＤＧいずれの撮像レンジも逸脱している場合は、本来の画素の情報をそのまま（ゲイン調節は行ない）使用する」ことを意味している。従って、拡大された総合レンジをも逸脱する被写体に対しては再び本来の高解像度が得られることになる。これは通常の被写体に対しては特に効果は無いが、完全な白黒パターン、例えば解像度チャートなどの特殊な絵柄に対して解像度が低下する不具合を防止するものである。
【００３８】
なお、上記において、各ＬＸの透過率は従来のＸの２倍としたが（以下これを第１実施例とする）、この他にも様々な実施例が考えられる。
【００３９】
従来のＸフィルタのピーク波長における透過率が５０％以上の場合は上記第１実施例では実現不可能である。この問題に対する解決を示すために仮想的に従来のＸのピーク波長透過率が１００％であった場合を想定して、他の実施例例を挙げておく。
【００４０】
すなわち、ＬＸを従来のＸと同じ透過率とし、ＤＸを１／４の透過率とする第２実施例である。（ゲイン補正の数値も対応して変えることはいうまでもない。以下の実施例でも同じ。）この場合Ｘ信号の撮像レンジは高輝度側にのみ２ＥＶ拡大することになる。
【００４１】
上記第１実施例と第２実施例に従って、各Ｘのピーク波長透過率に関してこれら２つの実施例の中間の値はもちろん任意の値に対して本発明を自明的容易に適用することができる。また上記実施例１，２では各Ｘ（ＲＧＢ）に対してＬおよびＤの相対的透過率設定は同じ値としたが、ＲＧＢ毎に異なる値を用いても良いことは明らかで、任意の値に対して本発明を自明的容易に適用することができる。
【００４２】
一方、これらとは異なる観点からの第３実施例として、上記第１実施例におけるＬＬのレベル設定を下げて、よりノイズレベルＮＬに近付けた値あるいは等しい値にすることが挙げられる。この場合、上記第１実施例に比較して一部の輝度域でＳ／Ｎの劣化等の画質劣化が生じるが、より共通輝度域すなわち高解像度領域が広くなる。なお、この際のＬＬの設定値を図３の特性曲線の下方の非直線部分にまで下げた時は一部の輝度域ではＳ／Ｎの劣化に加えてＬＧ画素とＤＧ画素にレベル差を生じ新たな画質劣化要因となるが、これはこの領域のＤＧ画素情報信号に対して特性曲線の非直線性を考慮したゲイン補正を施せば取り除ける。
【００４３】
また、上記全ての実施例に関して透過率等の数字はあくまでも一例であり、必要に応じて任意に変更し得ることは言うまでもなく、それによってレンジの拡大効果と一部輝度域に対する解像度低下のトレードオフをはかることができる。
【００４４】
ここで、上記本発明の実施の形態における問題解決の本質について考察すれば、２つの大きな新規要素が挙げられる。一つは▲１▼単位配列の画素数の拡大であり、他の一つは▲２▼同色異濃度のフィルタを用いた情報の取得およびそれによる色信号の生成である。▲２▼については従来いわゆる面順次（すなわち時分割）撮像または多板撮像での試みはあったが、これを点順次の画素配列レベルで具体的に構成したものはなかった。それは▲１▼の単位配列画素数を大きくするという発想が無かったことによるところが大きいと思われる。
【００４５】
すなわち、従来の単板撮像素子におけるコーディングの単位配列の画素数は解像度を確保するという観点から４画素以下であった。これに対して本発明では５画素以上の単位配列を用いるという新しい技術を開示したものであって、この場合でも、上記本発明の実施の形態（６画素単位配列）では実質的な解像度を従来（３画素単位配列）と同様に確保できることも示した。このような従来と同等の解像度確保はもちろん必須では無く、解像度の劣化を許容することでさらに大きな別の効果を引出すことも考えられるから５画素以上の単位配列という新技術は撮像技術に対して大きな効果をもたらすものである。
【００４６】
より具体的に、５画素以上の単位配列を用いれば上記実施例以外にも、以下に示すような様々な実施例を実現することができる。
【００４７】
（１）５画素：Ｒ，Ｇ，ｇ，Ｂ，Ｗ
ＲＧＢに、Ｇよりも侠帯域の緑であるｇと、全透過フィルタ（すなわちフィルタ無し）であるＷを加えたもので、緑の色再現を改善し、且つ低照度対応（高感度）を実現できる。
（２）７画素：ＬＲ，ＤＲ，ＬＧ，ＤＧ，ＬＢ，ＤＢ，Ｗ
上記第１実施例にＷを加えたもので、ダイナミックレンジを拡大し、且つ低照度対応（高感度）を実現できる。
（３）８画素：ＬＹｅ，ＤＹｅ，ＬＭｇ，ＤＭｇ，ＬＣｙ，ＤＣｙ，ＬＧ，ＤＧ従来のＧ＋補色（Ｙｅ，Ｍｇ，Ｃｙ）のいわゆる補色４色フィルタに対してＬ，Ｄ２濃度による上記実施例と同様のダイナミックレンジ拡大対応を実現する。
（４）９画素：ＬＲ，ＭＲ，ＤＲ，ＬＧ，ＭＧ，ＤＧ，ＬＢ，ＭＢ，ＤＢ
上記実施例の発展型で、ＲＧＢ３原色に対してＬ，Ｍ，Ｄの３濃度を適用して、更なるダイナミックレンジ拡大を実現する。
等を挙げることができる。
【００４８】
これらの各実施例の単位配列の配列例を図５に示す。（なお、各配列の基本配列内で各フィルタの配置を入れ替えれば異なる配列が生じるが、配列自体の形状例えば６画素基本配列を３×２とするか２×３、１×６、６×１とするか等については、基本配列を周期的に並べるときの周期配置パターンの変更と上記基本配列内での各フィルタ配置の入れ替えで全く同じ物を得ることができるので、いずれか一つの形状を示せば足りることを付言する。）
【００４９】
このように、本発明は上記のように様々なフィルタを用いた様々な配列に応用して効果のあるものである。無論、上記例にとどまらず、任意のフィルタを５以上の任意の画素数の単位配列を持つコーディングに応用することができ、単位配列の中の配置も任意の配置を採り得る。さらにいわゆる光学的なフィルタを使用せず、撮像素子自体の素子構造で分光特性を異ならしめ、色コーディングを施したものであっても良い。
【００５０】
【発明の効果】
上記したように、本発明によれば従来と同等の撮像素子を用いつつ、必要に応じて従来の配列の持つ特徴を基本的に有したまま撮像レンジ、色再現性あるいは感度などの基本性能を飛躍的に向上した高画質な撮像装置を提供することができる。
【図面の簡単な説明】
【図１】本発明の撮像装置の全体の構成を示すブロック図
【図２】本発明の撮像素子のフィルタ配列を示す図
【図３】本発明の撮像素子のＬＧ，ＤＧ画素の特性曲線
【図４】本発明の撮像装置の総合特性曲線
【図５】本発明の撮像素子のフィルタ配列（単位配列の配列例）を示す図
【図６】従来の撮像素子のフィルタ配列（ＲＧＢベイヤ配列）を示す図
【図７】従来の撮像素子のフィルタ配列（ＲＧＢストライプ配列）を示す図
【図８】従来の撮像素子の特性曲線
【符号の説明】
１０１・・・・撮影レンズ系
１０２・・・・撮影レンズ駆動機構
１０３・・・・露出制御機構
１０４・・・・フィルタ系
１０５・・・・撮像素子（ＣＣＤ）
１０６・・・・ＣＣＤドライバ
１０７・・・・プリプロセス
１０８・・・・ディジタルプロセス
１０９・・・・カードインターフェース
１１０・・・・メモリカード
１１１・・・・ＬＣＤ画像表示系
１１２・・・・システムコントローラ
１１３・・・・操作スイッチ系
１１４・・・・操作表示系
１１５・・・・ストロボ
１１６・・・・レンズドライバ
１１７・・・・露出制御ドライバ
【図１】
0004309505.tif 000002
【図２】
0004309505.tif 000003
【図３】
0004309505.tif 000004
【図４】
0004309505.tif 000005
【図５】
0004309505.tif 000006
【図６】
0004309505.tif 000007
【図７】
0004309505.tif 000008
【図８】
0004309505.tif 000009